(57)【要約】【課題】  データ固有情報を事前に用意する必要が無く、また、データとデータ固有情報とを関連付けて登録する作業が簡素になり、その結果として使い勝手を大幅に向上させることのできる資料提示装置を提供する。【解決手段】  撮像部３０による撮影画像、あるいはＣＤ−ＲＯＭドライブ（外部記憶装置）７０で読み取ったデジタルコンテンツに、バーコードと関連付けたデータ番号を付与してこれら画像を登録し、これと同時に、バーコード発行装置８０からデータ番号に関連付けられたバーコードを発行する。プレゼンテーション時には、バーコードを、撮像部３０を介して読み取ってデータ番号を認識し、インデックスデータからデータ番号に対応するデジタルコンテンツを検索し、該当するデジタルコンテンツを出力させる。【選択図】      図１
2005072744.tif 000002
【特許請求の範囲】
【請求項１】
資料が載置される資料載置台と、
この資料載置台上に置かれた資料を撮影する撮像部と、
この撮像部による撮影画像を表示装置に出力する画像出力部とを備える資料提示装置において、さらに、
所定のデータを読み取るデータ読取手段と、
このデータ読取手段で読み取ったデータを、該データに所定のデータ固有情報に関連付けたデータ名を付与してデジタルコンテンツとして登録するデータ登録手段と、
このデータ登録手段に登録されたデータのデータ名に関連付けられた前記データ固有情報を発行するデータ固有情報発行手段と、
前記撮像部による前記データ固有情報発行手段で発行された前記データ固有情報の撮影画像を読み取り、該データ固有情報に関連付けて前記データ登録手段に登録された１のデータ名のデータを、所定のデータ出力手段に供給する制御手段と
を備えることを特徴とする資料提示装置。
【請求項２】
前記所定のデータが記録される外部記憶媒体の駆動装置が、前記読取手段として具備されていることを特徴とする請求項１に記載の資料提示装置。
【請求項３】
前記所定のデータをパソコン等の外部装置から前記読取手段に入力させるためのインターフェースを具備することを特徴とする請求項１に記載の資料提示装置。
【請求項４】
前記データは静止画、動画等の画像であり、前記所定のデータ出力手段が前記画像出力部であることを特徴とする請求項１〜３のいずれかに記載の資料提示装置。
【請求項５】
前記撮像部による撮影画像を前記データとして処理することを特徴とする請求項４に記載の資料提示装置。
【請求項６】
前記データが音声であり、前記所定のデータ出力手段が音声発生手段であることを特徴とする請求項１〜３のいずれかに記載の資料提示装置。
【請求項７】
前記データ固有情報は、バーコード、二次元バーコード、文字、記号等の可視的情報形態であり、該情報形態が前記データ固有情報発行手段から発行されることを特徴とする請求項１〜６のいずれかに記載の資料提示装置。
【請求項８】
前記データ固有情報は、赤外吸収塗料等で記されたバーコード、二次元バーコード、文字、記号等の不可視的情報形態であり、該情報形態が前記データ固有情報発行手段から発行され、一方、前記撮像部には、該情報形態を撮影可能とする光学フィルタが撮影光路に対して挿脱自在に設けられていることを特徴とする請求項１〜６のいずれかに記載の資料提示装置。
【請求項９】
前記データ登録手段に登録するデータの指定手段として、前記撮像部で撮影され、登録する画像を前記制御部に認識させる発光部を有するライトペンを備えることを特徴とする請求項１〜８のいずれかに記載の資料提示装置。
【請求項１０】
前記データが画像であり、前記撮像部による前記発光部の撮影画像を、前記データ読取手段で読み取った画像に合成し、その合成画像を前記データ登録手段に登録可能であることを特徴とする請求項９に記載の資料提示装置。
【請求項１１】
前記制御部は、登録される前記データ固有情報と前記データ名との関連を表すインデックスデータを保有し、さらに、このインデックスデータと登録したデータとを、前記外部記憶媒体の駆動装置により外部記憶媒体に保存可能であることを特徴とする請求項２に記載の資料提示装置。
【発明の詳細な説明】
【技術分野】
【０００１】
本発明は、プレゼンテーションを行う際に資料画像を聴衆に表示する資料提示装置に関する。
【背景技術】
【０００２】
スクリーン等に表示した資料画像に対してプレゼンターが指示棒やレーザポインタ等でポイントを指示しながら資料の内容を説明するプレゼンテーションでは、資料載置台上に置いた資料をカメラで撮影し、その撮影画像を、液晶プロジェクタ等の投影装置に出力する資料提示装置が使用される場合がある。近年では、例えばパソコンの画像を取り込んで表示させるなどの機能を備えた資料提示装置が提供されている。
【０００３】
本出願人も様々な機能を備えた資料提示装置の開発を鋭意行っており、例えば、資料画像を速やか、かつ確実に出力させることを目的として、バーコード等のデータ固有情報をカメラで撮影して読み取り、そのバーコードに関連付けて登録した画像を出力する資料提示装置を提案している（特願２０００−３０６６４５）。この資料提示装置では、準備段階で、資料画像とバーコードとを１セットとして両者を関連付けて登録する作業を複数セット行い、プレゼンテーション時に、カメラで複数のバーコードを撮影しながら、表示させたい画像に関連付けられたバーコードを指示すると、その画像がただちに出力されて表示される。
【発明の開示】
【発明が解決しようとする課題】
【０００４】
ところが、上記提案の装置では、予めバーコードを用意する必要があり、さらに、バーコードの読み取りと画像の読み取りを行ってはじめて両者を関連付けて登録することになるため、準備段階での作業が煩雑であった。
【０００５】
よって本発明は、バーコード等のデータ固有情報を用いて画像等のデータを出力させる方式において、データ固有情報を事前に用意する必要が無く、また、データとデータ固有情報とを関連付けて登録する作業が簡素になり、その結果として使い勝手を大幅に向上させることのできる資料提示装置を提供することを目的としている。
【課題を解決するための手段】
【０００６】
本発明は、資料が載置される資料載置台と、この資料載置台上に置かれた資料を撮影する撮像部と、この撮像部による撮影画像を表示装置に出力する画像出力部とを備える資料提示装置において、さらに、所定のデータを読み取るデータ読取手段と、このデータ読取手段で読み取ったデータを、該データに所定のデータ固有情報に関連付けたデータ名を付与してデジタルコンテンツとして登録するデータ登録手段と、このデータ登録手段に登録されたデータのデータ名に関連付けられたデータ固有情報を発行するデータ固有情報発行手段と、撮像部によるデータ固有情報発行手段で発行されたデータ固有情報の撮影画像を読み取り、該データ固有情報に関連付けてデータ登録手段に登録された１のデータ名のデータを、所定のデータ出力手段に供給する制御手段とを備えることを特徴としている。
【０００７】
本発明で言うデータとは、静止画や動画といった画像、または音声であり、画像の場合は画像出力部から表示装置（プロジェクタやモニタ等）に出力され、音声の場合はスピーカ等の音声発生手段から出力される。また、データ固有情報としては、バーコード、二次元バーコード、文字、記号等の可視的情報形態、あるいは、赤外吸収塗料等で記されたバーコード、二次元バーコード、文字、記号等の不可視的情報形態が挙げられる。
【０００８】
本発明では、撮像部による撮影画像をデータとして処理することができる。また、外部記憶媒体に記録されているデータを読み取る機能、あるいはパソコン等の外部装置が保持するデータを読み取る機能を付加させることができる。前者の機能を付加させる場合には外部記憶媒体の駆動装置を読取手段として具備させ、また、後者の機能は外部装置から読取手段に入力させるためのインターフェースを具備させればよい。
【０００９】
また、本発明では、データ登録手段に登録するデータの指定手段として、撮像部で撮影され、登録する画像を制御部に認識させる発光部を有するライトペンを備える形態を含む。この形態の場合、表示画像にライトペンで画像をポインティングしたり、ライトペンの発光部を発光させながら連続して移動する状態を撮像部によって撮影し、例えば手書き文字等の画像を合成してその合成画像をデータ登録手段に登録することも可能である。
【００１０】
さらに本発明では、制御部が、登録されるデータ固有情報とデータ名との関連を表すインデックスデータを保有し、このインデックスデータと登録したデータとを、上記外部記憶媒体の駆動装置により外部記憶媒体に保存可能である形態を付加させることができる。この形態により、インデックスデータと登録したデータとを外部記憶媒体により持ち運ぶことができ、この外部記憶媒体を用いて、本発明の別の資料提示装置を利用することができる。
【発明の効果】
【００１１】
本発明によれば、データ読取手段で読み取ったデータに、データ固有情報と関連付けたデータ名が付与されてデータが登録され、これと同時に、データ固有情報を発行させることができる。すなわち、読み取ったデータの登録と、データに対するデータ固有情報の関連付け、およびデータ固有情報の発行が、同時に可能とされる。データ固有情報の発行とは、具体的にはバーコードのプリントアウト等である。したがって、データ固有情報を事前に用意する必要が無く、また、データとデータ固有情報とを関連付けて登録する作業が１回で済むため、使い勝手が大幅に向上する。
【発明を実施するための最良の形態】
【００１２】
以下、本発明を実施するための最良の形態を説明する。
（Ａ）資料提示装置の基本機能（ライトペンによるポインティング）
図１は本実施形態に係るプレゼンテーション用の資料提示装置１を示しており、図２は資料提示装置１の構成ならびに機能を系統的に表したブロック図である。図１に示すように、資料提示装置１は、上面に資料Ｄ（図示例では用紙による資料）が置かれる資料載置台１０と、この資料載置台１０にアーム２０を介して支持された撮像部３０とを備えている。アーム２０は、資料載置台１０の奥端部の中央に立設された支柱部２０ａの上端から水平部２０ｂが手前側に延びる逆Ｌ字状で、水平部２０ｂの先端は資料載置台１０のほぼ中央上方に位置しており、その先端に、資料Ｄを撮影する撮像部３０が取り付けられている。
【００１３】
撮像部３０は、図２に示すように、カメラ３１と光学フィルタ３２とを備えている。カメラ３１は、ズーム機能およびオートフォーカス機能を備えている。光学フィルタ３２は赤外光のみを撮影可能とするもので、カメラ３１の撮影光路に対して挿脱自在にセットされている。この場合、光学フィルタ３２の挿脱は手動で行うようになされている。撮像部３０による撮影画像は制御部４０に取り込まれて処理され、画像出力部４１から液晶プロジェクタ５０に出力される。液晶プロジェクタ５０からは、撮影画像が図示せぬスクリーンに投影される。制御部４０は、例えば資料載置台１０に内蔵される。
【００１４】
本実施形態の資料提示装置１では、上記制御部４０により、一般的な画像処理の方式を用いて、撮像部３０で撮影している資料載置台１０の表面に、仮想スクリーンＳのＸＹ座標が生成される。仮想スクリーンＳの生成法としては、資料載置台１０の四隅で赤外光を発光させ、これら４点の発光点を、光学フィルタ３２をカメラ３１の撮影光路に挿入した状態の撮像部３０で撮影し、その画像データから各発光点の位置を認識するといった方法が採られる。なお、仮想スクリーンＳは、予め制御部４０によって固定的に設定しておくことも可能であり、その場合には、仮想スクリーンＳの生成を省略することができる。
【００１５】
図１で符号６０は、先端にＬＥＤ等からなる発光部６１が設けられたライトペンである。このライトペン６０は、液晶プロジェクタ５０によってスクリーンに表示される画像に対し、レーザポインタのようにポインティングするためのツールとして使用される。ライトペン６０の発光部６１は、先端を押圧して筆圧を付与するとＯＮとなり、離すとＯＦＦとなる筆圧スイッチにより、点灯／消灯する。
【００１６】
資料提示装置１の基本機能は、次の通りである。
まず、資料載置台１０上に置いた資料Ｄを、光学フィルタ３２をカメラ３１の撮影光路中から外した状態の撮像部３０で撮影する。制御部４０は、その撮影画像を静止画像に処理し、その静止画像を画像出力部４１から液晶プロジェクタ５０に出力する。これにより、資料Ｄの画像がスクリーンに表示される。静止画像への処理は、制御部４０へその旨のコマンドを発することによりなされる。次に、プレゼンターは、光学フィルタ３２をカメラ３１の撮影光路中に挿入し、資料Ｄ中の指示したい部分にライトペン６０の先端を押し当てる。すると、筆圧スイッチがＯＮになってライトペン６０の発光部６１が点灯し、これをもってポインティングがなされる。すなわち、この発光指示の状態で、点灯している発光部６１が撮像部３０で撮影され、その画像は撮像部３０を介して制御部４０に取り込まれる。制御部４０は、上記仮想スクリーンＳ上での発光部６１の位置＝座標を算出し、その座標に対応するスクリーンに表示されている画像の座標に、所定のポイント画像を合成する。これによって、スクリーンの資料画像にポインティングすることができる。ライトペン６０を資料Ｄから離すと筆圧スイッチがＯＦＦになって発光部６１は消灯し、ポイント画像は消える。
【００１７】
さて、本実施形態の資料提示装置１では、上記のように撮像部３０で撮影した資料画像や、外部記憶媒体に記録されている画像を保存して登録すると同時に、その登録画像を自動的に呼び出すバーコードを発行する機能と、発行したバーコードを撮像部３０で撮影して読み取ることにより、登録画像を出力する機能とを備えている。以下に、これら機能を説明する。
【００１８】
（Ｂ）画像登録／バーコード発行機能
資料載置台１０には、外部記憶装置としてＣＤ−ＲＯＭドライブ７０が装備され、また、バーコード発行装置８０が設けられている。ＣＤ−ＲＯＭドライブ７０には、光ディスク型のＣＤ（外部記憶媒体：ＣＤ−ＲＯＭ、ＣＤ−ＲＷ、ＣＤ−Ｒ等）が挿脱され、ＣＤに記録されているＣＤ画像（デジタルコンテンツ：静止画像または動画）が、ＣＤ−ＲＯＭドライブ７０で読み取られる。制御部４０は記憶部４２を備えており、制御部４０は、撮像部３０による撮影画像やＣＤ−ＲＯＭドライブ７０で読み取ったＣＤ画像を、記憶部４２に保存、登録する制御を行う。なお、本発明では、デジタルコンテンツとして画像の他に音声が挙げられるが、ここではデジタルコンテンツを画像に限定して説明を進める。
【００１９】
また、制御部４０は、画像登録作業と同時に、登録画像を特定するデータ名としてデータ番号をその画像に付与して登録し、さらに、そのデータ番号に関連付けられるバーコードを設定してバーコード発行装置８０からプリントアウトさせる。制御部４０は、バーコードとデータ番号との関連を表すインデックスデータを保有する。インデックスデータは、画像の登録に応じて管理され、例えば、図３に示すように、登録可能番号用インデックスと、登録済み番号用インデックスとを分けて管理する方式が採られる。この場合、登録可能番号用インデックスにおける登録可能な番号が００００〜４９９９で、コンテンツ名（画像データ名：図３ではコンテンツ１，２，３，４，…）が空欄の場合に登録が可能と判断され、その空欄に画像データがコンテンツとして１つずつ順に登録され、データ番号が付与される。また、登録済み番号用インデックスには、登録された画像データが５０００〜９９９９まで順に登録され、コンテンツ名が空欄でも登録は不可とされる。このように登録可能／登録済みの各インデックスを分けて管理することで、両者を共存させて管理することができる。なお、このようなインデックスデータは、登録可能／登録済みの各インデックスを別のファイルとして保有するか、あるいは、同じファイル内に含めてデータ番号に基づき管理することができる。
【００２０】
バーコードは、登録画像のデータ番号に関連付けられるデータ固有情報であって、上記のようにして登録されるデータ番号（例えば４桁の番号）を表す情報形態である。バーコードは、画像の登録と同時に制御部４０で設定され、バーコード発行装置８０によってプリントアウトされる。バーコードは、例えば横長のラベルにプリントされる。図４に示すように、バーコードＢがプリントされるラベル９０には、そのバーコードＢの番号すなわち上記データ番号（Ｎｏ．）と、このデータ番号に対応する画像の縮小画像Ｐがプリントされると、ひと目でそのバーコードＢに対応するデータすなわち画像を認識することができるので、好ましい形態である。
【００２１】
図１に示すように、資料載置台１０には、撮像部３０による撮影画像を登録させる撮影画像登録スイッチ１１と、ＣＤ画像を登録させるＣＤ画像登録スイッチ１２とが設けられており、これらスイッチによる信号が、制御部４０に入力されると、上記の画像登録、データ番号付与およびバーコード発行が行われる。以下に、その具体的動作例を説明する。
【００２２】
ａ．撮影画像の登録（図５）
光学フィルタ３２をカメラ３１の撮影光路中から外して、資料載置台１０上に置いた資料Ｄを撮影する（ステップＳ１０１）。撮影画像は液晶プロジェクタ５０に出力されてスクリーンに表示される。次に、資料載置台１０の撮影画像登録スイッチ１１を押す（ステップＳ１０２）。これにより、制御部４０は撮影画像にデータ番号を付与し、両者を１セットとして記憶部４２に登録する。これと同時に、制御部４０は登録完了のメッセージを撮影画像に合成して液晶プロジェクタ５０に出力し、スクリーンに表示させる（ステップＳ１０３）。次に、制御部４０は画像のデータ番号に関連付けられるバーコードを設定し、このバーコードがバーコード発行装置８０でプリントアウトされる（ステップＳ１０４）。
【００２３】
ｂ．ＣＤ画像の登録（図６）
ＣＤをＣＤ−ＲＯＭドライブ７０に挿入し（ステップＳ２０１）、ＣＤ画像登録スイッチ１２を押す（ステップＳ２０２）。これにより、制御部４０はＣＤに記録されている画像を液晶プロジェクタ５０に出力し、スクリーンに表示させる（ステップＳ２０３）。ここで、ＣＤに複数の画像が記録されている場合、それらの画像の中から登録したい画像を選択して登録する必要があるので、複数の画像を、１つのページに縮小して配列し、表示させるとよい。そして、画像の選択は、上記ライトペン６０で発光指示すると、その画像が登録されるようにすることができる。それには、光学フィルタ３２を撮影光路中に挿入し、スクリーンに表示されている複数の画像を見ながら、資料載置台１０上で発光部６１を点灯させながらライトペン６０を移動させ、登録したい画像に発光部６１を停止させて指示し（ステップＳ２０４）、この状態を保持して再びＣＤ画像登録スイッチ１２を押す（ステップＳ２０５）。
【００２４】
制御部４０は指示されたＣＤ画像にデータ番号を付与して記憶部４２に登録し、登録完了のメッセージを撮影画像に合成して液晶プロジェクタ５０に出力し、スクリーンに表示させる（ステップＳ２０６）。次に、制御部４０は画像のデータ番号に関連付けられるバーコードを設定し、このバーコードを、バーコード発行装置８０によってラベル９０にプリントアウトさせる（ステップＳ２０７）。このようにして発行されたバーコードは、例えば図７に示すように、バーコードシート９５に貼って保持される。なお、図７および図８では、バーコードＢ１〜Ｂ６が保持されたバーコードシート９５を示しているが、各バーコードＢ１〜Ｂ６においては、図４に示したデータ番号：Ｎｏ．および縮小画像Ｐの図示を省略している。
【００２５】
（Ｃ）登録画像出力機能
資料提示装置１では、上記のようにして登録された画像を表示しながらプレゼンテーションを行うことができ、以下にその具体的動作例を、図９を参照して説明する。
プレゼンターは、上記バーコードシート９５を資料載置台１０上に置き、光学フィルタ３２をカメラ３１の撮影光路中から外した状態の撮像部３０で、バーコードシート９５を撮影する（ステップＳ３０１）。制御部４０は、そのバーコードシート９５の画像を記憶部４２に保存する（ステップＳ３０２）。次に、プレゼンターは光学フィルタ３２をカメラ３１の撮影光路中に挿入し（ステップＳ３０３）、図７に示すように、表示させたい画像に対応するバーコード（ここではＢ１）をライトペン６０で発光指示する（ステップＳ３０４）。撮像部３０が、点灯する発光部６１を撮影し（ステップＳ３０５）、制御部４０は、保存したバーコードシート９５の画像データと照らし合わせて、図７に示すようにライトペン６０の発光部６１の位置（Ｘ，Ｙ）を計算する（ステップＳ３０６）。次に、制御部４０は、図８に示すように（Ｘ，Ｙ）を中心としてバーコードＢ１が設けられた領域［Ｘ０，Ｙ０］の画像データからバーコードＢ１をトリミングし（ステップＳ３０７）、次いでＸ方向のコントラストからバーコードＢ１を上記データ番号にコード変換し（ステップＳ３０８）、データ番号を認識する（ステップＳ３０９）。
【００２６】
続いて制御部４０は、上記インデックスデータから、認識したデータ番号に割り当てられた画像を記憶部４２から検索して抽出し（ステップＳ３１０）、その画像を画像出力部４１から液晶プロジェクタ５０に出力する（ステップＳ３１１）。これにより、ライトペン６０で指定した画像がスクリーンに投影される。スクリーンに表示された画像に対しては、上述したように、ライトペン６０によってポインティングを行うことができる。
【００２７】
上記資料提示装置１によれば、撮像部３０を介して制御部４０で読み取った画像（撮影画像やＣＤ画像）に、バーコードと関連付けたデータ番号を付与すると同時に、画像を特定して出力させるために用いるバーコードを発行することができる。したがって、バーコードを事前に用意する必要が無く、また、画像とバーコードとを関連付けて登録する作業が１回で済むため、使い勝手が大幅に向上する。また、撮像部３０による撮影画像のみならず、ＣＤに記録されているデジタル画像を登録することができ、したがって、デジタルカメラ等で撮影したデジタル画像もＣＤを介して登録、表示させることができる。このため、プレゼンテーション用の資料の作成は、パソコン等を使用してＣＤに登録するといった簡単な作業で済ませることができるとともに、より鮮明な資料画像をスクリーンに表示させることができる。
【００２８】
また、ＣＤ画像を登録する際に、画像の指定をライトペン６０で行うことにより、ジョイスティックやマウス等のポインティング用デバイスを用いる場合と比べると、画像指定の操作が簡単であり、ハード的な装備も軽減される。本実施形態では、ライトペン６０で画像をポインティングしたり、あるいは発光部６１を点灯させながら連続してポインティングする動作の状態を撮像部３０で撮影し、画像に例えば手書きの文字等の画像が付加された画像を取り込んで登録できるような構成にすることもできる。
【００２９】
また、登録したデータ番号とＣＤ画像との関連を表すインデックスデータと、登録したＣＤ画像とを、書き込み可能なＣＤ（ＣＤ−ＲＷやＣＤ−Ｒ）に保存すれば、これら登録内容をＣＤで持ち運ぶことができ、このＣＤを用いて同型の別の資料提示装置１で同様に利用することができる。なお、その場合には、ＣＤ−ＲＯＭドライブ７０の代わりに、あるいは別付けで、ＣＤにデータを書き込むことができるＣＤ−Ｒ／ＲＷドライブ等の外部記憶装置を資料載置台１０に装備させることになる。
【００３０】
なお、上記実施形態では、デジタルコンテンツとして画像を挙げているが、上述したようにデジタルコンテンツとしては画像の他に音声が挙げられる。音声の場合には、音声出力部を有し、この出力部からスピーカ等の音声発生手段に音声データが供給されるようにする。また、外部記憶媒体としては、上述したＣＤ−ＲＯＭ、ＣＤ−ＲＷ、ＣＤ−Ｒ等の他に、ＤＶＤ系（ＤＶＤ−ＲＯＭ、ＤＶＤ−Ｒ、ＤＶＤ−ＲＷ、ＤＶＤ−ＲＡＭ等）、あるいは種々のメモリカードが挙げられる。これら他の外部記憶媒体を用いる場合には、資料載置台１０に、対応する外部記憶媒体のドライブを装備させることになる。
【００３１】
また、読み込むデジタルコンテンツは、ＣＤに記録されているものとしたが、資料載置台１０にパソコンとのデータ交換が可能なインターフェースを装備させ、このインターフェースを介してパソコンが保持するデジタルコンテンツを取り込んで登録することもできる。
【図面の簡単な説明】
【００３２】
【図１】本発明の実施形態に係る資料提示装置と、これに接続される液晶プロジェクタを示す斜視図である。
【図２】資料提示装置の構成ならびに機能を系統的に表したブロック図である。
【図３】インデックスデータの管理方式の一例を示す図である。
【図４】バーコードがプリントされるラベルの一例を示す図である。
【図５】撮影画像の登録動作の一例を示すフローチャートである。
【図６】ＣＤ画像の登録動作の一例を示すフローチャートである。
【図７】画像を出力させるにあたってライトペンでバーコードを指示している状態を示す図である。
【図８】バーコードの読み取り方法を説明する図である。
【図９】バーコードを読み取ってデータを出力する動作の一例を示すフローチャートである。
【符号の説明】
【００３３】
１…資料提示装置
１０…資料載置台
３０…撮像部
４０…制御部（制御手段）
４１…画像出力部
６０…ライトペン
６１…発光部
７０…ＣＤ−ＲＯＭドライブ（外部記憶媒体の駆動装置）
８０…バーコード発行装置（データ固有情報発行手段）
Ｂ，Ｂ１〜Ｂ６…バーコード（データ固有情報）
ＣＤ…外部記憶媒体
Ｄ…資料
【図１】
2005072744.tif 000003
【図２】
2005072744.tif 000004
【図３】
2005072744.tif 000005
【図４】
2005072744.tif 000006
【図５】
2005072744.tif 000007
【図６】
2005072744.tif 000008
【図７】
2005072744.tif 000009
【図８】
2005072744.tif 000010
【図９】
2005072744.tif 000011